(57)【要約】【課題】柵の取付及び解体の簡単化及び解体時に出る廃棄物を無くし、農作業の効率化を図ると共に農家の経済的負担を軽減する。【解決手段】柵７の両側にリング状の係止部材１を複数固定し、隣り合う柵７に設けた複数のリング状の係止部材１に支柱６を挿通し、支柱６を地面Ｇに打ち込む。又、柵を解体する際には、支柱６を地面Ｇから引き抜くだけの作業でよい。このように柵の構築及び解体を簡単にし、且つ、短期間に行えるので、農作業の効率化を図ると共に農家の経済的負担を軽減することができる。又、解体した柵７及び支柱６をそのまま保管し、再利用を可能とするため廃棄物を無くすことができる。【選択図】        図２
2004166559.tif 000002
【特許請求の範囲】
【請求項１】
柵の両側にリング状の係止部材を複数固定し、隣り合う柵に設けた複数のリング状の係止部材に支柱を挿通したことを特徴とする動物侵入防止柵の取付構造。
【請求項２】
柵の両端を形成する縦部材及び支柱を挿通するための縦部材挿通孔と支柱挿通孔を設けた係止部材の縦部材挿通孔に柵の縦部材を挿通し、隣り合う柵に取り付けた係止部材の支柱挿通孔に支柱を挿通したことを特徴とする動物侵入防止柵の取付構造。
【請求項３】
支柱挿通孔の両側に、策の両端を形成する縦部材を嵌入するためのＵ字部を形成し、該Ｕ字部に隣り合う柵の縦部材を嵌入すると共に支柱挿入孔に支柱を挿通することを特徴とする動物侵入防止柵の取付構造。
【請求項４】
Ｕ字部の先端に抜け防止部材を装着したことを特徴とする請求項３に記載の動物侵入防止柵の取付構造。
【請求項５】
Ｕ字部の片側片を回動可能にしたことを特徴とする請求項４に記載の動物侵入防止柵の取付構造。
【発明の詳細な説明】
【０００１】
【発明の属する技術分野】
本発明は、果樹園或は農園等の農作物を動物から保護するための動物侵入防止柵の取付構造に係り、詳しくは柵の取付及び解体を簡単にすると共に、解体時に出る廃棄物を無くした動物侵入防止柵の取付構造に関する。
【０００２】
【従来の技術】
従来の動物侵入防止柵は、魚網やトタン板を支柱に固定していた。その固定には、針金や釘、或は縄等を使用していたので、何れも取付に多数の針金や釘及び縄等を必要とし、且つ、針金掛け作業、釘打ち作業及び縄掛け作業に多くの手間暇がかかるという課題があった。
【０００３】
又、果樹園等の収穫時期や農繁期に作業を行うときは、柵があるとその作業に支障を来たす場合があり、作業能率が低下するので、柵を取り除く作業が必要になる。この柵の取り除き作業においても、釘抜き作業、針金外し及び縄掛け外し作業が困難で手間暇がかかるという課題がある。
【０００４】
又、従来のものは、一度使用した魚網やトタン板、針金や釘及び縄を再使用することができないので、これらを廃棄物として処理しなければならないという課題もある。更に、果物や農作物の生育は時期的な要素が大きい。従って、柵の構築及び解体に多くの時間をかけることができない。特に農作業の効率化を図るための解体及び廃材の処理は短期間に行う必要があって、多くの工数（労働力）を要し、農家の経済的負担が大きくなるという課題がある。
【０００５】
【発明が解決しようとする課題】
そこで本発明は、柵の構築及び解体を簡単にすると共に、解体時に出る廃棄物を無くして、農作業の効率化を図ると共に農家の経済的負担を軽減した動物侵入防止柵の取付構造を提供する。
【０００６】
【課題を解決するための手段】
上記課題を解決するための、請求項１の記載から把握される手段は、柵の両側にリング状の係止部材を複数固定し、隣り合う柵に設けた複数のリング状の係止部材に支柱を挿通したことを特徴とする。
【０００７】
次ぎに、請求項２の記載から把握される手段は、柵の両端を形成する縦部材及び支柱を挿通するための縦部材挿通孔と支柱挿通孔を設けた係止部材の縦部材挿通孔に柵の縦部材を挿通し、隣り合う柵に取り付けた係止部材の支柱挿通孔に支柱を挿通したことを特徴とする。
【０００８】
次ぎに、請求項３の記載から把握される手段は、支柱挿通孔の両側に、柵の両端を形成する縦部材を嵌入するためのＵ字部を形成し、該Ｕ字部に隣り合う柵の縦部材を嵌入すると共に支柱挿入孔に支柱を挿通することを特徴とする。
【０００９】
次ぎに、請求項４の記載から把握される手段は、Ｕ字部の先端に抜け防止部材を装着したことを特徴とする。
【００１０】
次ぎに、請求項５の記載から把握される手段は、Ｕ字部の片側片を回動可能にしたことを特徴とする。
【００１１】
次に、各請求項の記載から把握される手段によって、課題がどのように解決されるかについて説明する。先ず、請求項１の記載から把握される手段において、柵の両側にリング状の係止部材を複数固定し、隣り合う柵に設けた複数のリング状の係止部材に支柱を挿通するようにしたので、柵を構築する際には、互いに隣り合う柵に固定したリング状の係止部材の位置合わせを行い、そのリング状の係止部材に支柱を挿通して、支柱を地面に打ち込むだけでよい。又、柵を解体する際には支柱を地面から引き抜くだけの作業でよい。そして解体した柵及び支柱をそのまま保管する。
【００１２】
次ぎに、請求項２の記載から把握される手段において、柵の両端を形成する縦部材及び支柱を挿通するための縦部材挿通孔と支柱挿通孔を設けた係止部材の縦部材挿通孔に柵の縦部材を挿通し、隣り合う柵に取り付けた係止部材の支柱挿通孔に支柱を挿通するようにしたので、縦部材に対して係止部材は固定されておらず、縦部材に対して係止部材が回動及び上下移動が可能になる。従って、柵の構築時には、支柱を挿通するための支柱挿通孔の位置合せが容易になる。又、柵を解体する際には、支柱を地面から引き抜くだけの作業でよい。そして解体した柵及び支柱をそのまま保管する。
【００１３】
次ぎに、請求項３の記載から把握される手段において、支柱挿通孔の両側に、柵の両端を形成する縦部材を嵌入するためのＵ字部を形成し、このＵ字部に隣り合う柵の縦部材を嵌入すると共に支柱挿入孔に支柱を挿通するようにしたので、柵を構築する際には、予め柵の寸法にあわせた間隔で支柱を地面に打ち込んでおき、支柱に係止部材をはめ込み、Ｕ字部に縦部材を順次はめ込むだけでよい。又、解体に際しては、係止部材は支柱に対して回動自在であるので、一本の支柱を引き抜き、最初の柵を外すことにより、その後の柵は係止部材を回動して順次Ｕ字部から縦部材を外すことができる。従って、他の支柱を地面から引き抜く作業を無くすことができる。又、縦部材を嵌合するのはＵ字部であるため、支柱を地面に打ち込む間隔寸法精度に余裕を持たせることができる。そして解体した柵及び支柱をそのまま保管する。
【００１４】
次ぎに、請求項４の記載から把握される手段において、Ｕ字部の先端に抜け防止部材を装着したので、柵の構築及び解体時に、簡単な操作でＵ字部に嵌合した縦部材が抜けないようにすることができる。
【００１５】
次ぎに、請求項５の記載から把握される手段において、Ｕ字部の片側片を回動可能にすることにより、柵構築時には、予め支柱を所定の間隔で地面に打ち込んでおき、打ち込んだ支柱の任意の間に柵の縦部材をＵ字部に嵌合させることができ、又、解体時には支柱を抜くことなく、任意の柵を取外すことができる。
【００１６】
【発明の実施の形態】
以下、本発明の実施の形態について説明する。先ず、請求項１の記載から把握される本発明の実施の形態は、図１及び図２において、柵７の両側にリング状の係止部材１を複数固定し、隣り合う柵７に設けた複数のリング状の係止部材１に支柱６を挿通する。
【００１７】
次に、請求項２の記載から把握される本発明の実施の形態は、図２においける柵７の両端を形成する縦部材２及び支柱６を挿通するために、図３に示すように縦部材挿通孔９と支柱挿通孔１０を設けた係止部材８を用意する。そして、この係止部材８の縦部材挿通孔９に柵７の縦部材２を挿通し、隣り合う柵７に取り付けた係止部材８の支柱挿通孔１０に支柱６を挿通する。
【００１８】
次に、請求項３の記載から把握される本発明の実施の形態は、図５に示すように、支柱挿通孔１０の両側に、柵７の両端を形成する縦部材２を嵌入するためのＵ字部１２を形成し、このＵ字部１２に隣り合う柵７の縦部材２を嵌入すると共に支柱挿入孔１０に支柱６を挿通する。
【００１９】
次に、請求項４の記載から把握される本発明の実施の形態は、図６及び図７に示すように、Ｕ字部１２の先端に抜け防止部材１３を装着する。
【００２０】
次に、請求項５の記載から把握される本発明の実施の形態は、図８に示すように、Ｕ字部１２の片側片を回動可能な回動腕１７にする。
【００２１】
【実施例】
以下本発明の一実施例について説明する。図１及び図２において、柵７は例えば合成樹脂製の棒材である縦部材２と横部材３を略碁盤目状に組み合わせて形成されている。或は縦部材２と横部材３を碁盤目状に結合して形成している。そして柵７の両側であって、横部材３にリング状の係止部材１を複数固定し、隣り合う柵７に設けた複数のリング状の係止部材１に支柱６を挿通する。リング状の係止部材１には、ネジ孔４があけられており、ボルト５にてリング状の係止部材１を支柱６に固定するようにしている。又は図２に示すように、楔１９により、リング状の係止部材１を支柱に固定するようにしても良い。
【００２２】
この第一実施例において、柵７を構築する場合は次のようにして行う。縦部材２の下端２ａが地面Ｇに埋められるように、所定深さの溝を掘り、柵７を配置して、互いに隣り合う柵７に固定したリング状の係止部材１を重ね合せ、支柱６をそのリング状の係止部材１に挿通し、支柱６を地面Ｇに打ち込むだけの簡単な取り付け作業で済み、短期間に柵７を構築することができる。次ぎに、農繁期等において、構築した柵７を解体する場合は、先ず、ボルト５又は楔１９を取り外し、支柱６を地面Ｇから引き抜くという簡単な作業ににより、且つ、短期間に柵７を解体することができる。又、解体した柵７及び支柱６は、所定の場所に保管し、柵７及び支柱６を再使用することができる。ボルト５や楔１９も所定の場所に保管し、再使用することができる。
【００２３】
次ぎに第二実施例は、図３に示すように、係止部材８には縦部材挿通孔９と支柱挿通孔１０を設けている。この係止部材８は、柵７を製作する際に、縦部材挿通孔９に縦部材２を挿通し、横部材３間の所定の個所に複数個嵌合させておく。そして柵７を構築する場合は、柵７を所定の位置に配置し、図４に示すように、隣り合う柵７に取り付けた係止部材８の支柱挿通孔１０に支柱６を挿通して、地面Ｇに支柱を打ち込むようにする。この実施例の場合、係止部材８は縦部材２に対して回動可能であり、且つ、上下移動が可能であるので、支柱挿通孔１０の芯合せが容易となり、支柱６の挿通を容易にすることができて、構築作業の効率化を図り、短期間に構築することができる。次ぎに、構築した柵７を解体する場合には、支柱６を地面Ｇから引き抜くという簡単な作業で、短期間に解体することができる。そして解体した柵７及び支柱６を所定の場所に保管し、柵７を構築する際には再使用することができる。又、係止部材８は縦部材２に対して回動可能であるため、柵７を重ねて保管するときに、係止部材８を回動し、積み重ねが嵩張らないように安定させることができる。
【００２４】
次ぎに第三実施例は、図５に示すように、係止部材１１には、支柱挿通孔１０の両側に、柵７の両端を形成する縦部材２を嵌入するためのＵ字部１２が設けられている。このＵ字部１２の幅Ｗは、縦部材２の外径に等しいか、又は僅かに大きくしている。この実施例の柵７の構築及び解体は次のようにして行う。
【００２５】
先ず柵７を構築する際には、予め柵７の寸法に合せて、所定の間隔で支柱６を地面Ｇに打ち込んでおき、支柱６に係止部材１１をはめ込む。係止部材１１は支柱６に対して回動自在であるため、Ｕ字部１２に縦部材２を順次はめ込むという簡単な作業で、且つ、短期間に柵を構築することができる。又、解体に際しては、係止部材１１は支柱６に対して回動自在であるから、最初に一本の支柱６を地面Ｇから引き抜き、最初の柵７を外すことにより、その後の柵７は係止部材１１を回動して順次Ｕ字部１２から縦部材２を外すことができる。従って、他の支柱６を地面から引き抜く作業を無くすことができ、解体作業を短期間で行うことができる。
【００２６】
又、縦部材２を嵌合するのはＵ字部であって、縦部材２をＵ字部１２内に納めればよいので、支柱６を地面Ｇに打ち込む間隔寸法精度に余裕を持たせることができ、作業性を向上させ短期間に柵を構築することができる。そして解体した柵７及び支柱６をそのまま保管し、構築の時はそれを再使用することができる。更に柵７の構築時には予め支柱６を地面に打ち込んだ状態で可能となり、又、解体時においても支柱６の全部を地面Ｇから引き抜く必要がなく、農作業に邪魔になる支柱６のみを引き抜けばよい。従って、解体作業を効率良く短時間で行うことができる。そして、解体した柵７には係止部材１１がないので、保管時に柵７を安定した状態で嵩張ることなく積み重ねることができ、且つ、運搬、柵の構築、解体等の作業性を向上させることができる。
【００２７】
第四実施例は、図６及び図７に示すように、Ｕ字部１２の先端に抜け防止部材１３を装着する。この実施例において、係止部材２０に設けたＵ字部１２の幅Ｗを縦部材２の外径に等しいか僅かに小さくする。又、係止部材２０の材質としては弾性に優れた材質、例えば樹脂製にする。抜け止め部材１３は、Ｕ字部１２の片側の腕１５に回動可能に設けられ、他方の腕１５の先端部に設けた凸部１６を乗り越え、且つ、その腕１５を僅かに撓ませる寸法になっている。図７において、抜け止め部材１３には、凸部１６に係合して固定するための係止部１３ａと摘み部１３ｂが形成されている。
【００２８】
この実施例の柵７の構築、解体及び保管は、基本的な部分において、図５に示した第三実施例と同じであるから、その説明は省略する。特徴部分としては、Ｕ字部１２に縦部材２を嵌合し、抜け止め部材１３を回動して凸部１６に係止した場合に、腕１５を撓ませて縦部材２を強固に挟持することができる。そして柵の構築及び解体においては、抜け止め部材１３を回動するだけの簡単な作業で、短期間に構築及び解体を行うことができる。
【００２９】
次ぎに、第五実施例は、図８に示すように、係止部材２１には、Ｕ字部１２の片側腕をボス１４に対してピン１８を介して回動可能な回動腕１７を設けている。又、腕１５に対して直線の合せ面を形成しストッパ部１７ａを形成している。従って、図６及び図７で説明したと同じように、抜け止部材１３を回動して、回動腕１７の先端に形成した凹部１７ｂに係合させた状態で、回動腕１７を撓ませ、縦部材２を強固に挟持することができる。
【００３０】
この実施例の柵７の構築及び解体は次ぎの通りである。先ず構築時において、支柱６を柵７の寸法に合わせた所定の間隔で地面Ｇに打ち込む。次に、係止部材２１を支柱６に嵌合し、回動腕１７を開いた状態にして、柵７を正面から移動して縦部材２を腕１５に当てがい、回動腕１７を閉じて抜け止め部材１３を凹部１７ｂに係止し、縦部材２を強固に固定する。従って、この実施例の場合は柵７を順次組み込む必要はなく、複数人の作業者が支柱６間の任意の位置に取り付けることが可能であり、複数の作業者により構築を短時間に完成することができる。又、解体時においては、支柱６を地面Ｇから抜く必要はなく、農作業に邪魔になる部分だけの柵７を取り除き、他の部分をそのままにすることができ、解体時間を短縮することができると共に、解体した柵７の数を少なくして、保管作業時間の短縮も可能である。又、解体した柵７には係止部材２１が無いので、保管時に柵７を安定した状態で嵩張ることなく積み重ねることができ、且つ、運搬、柵の構築、解体等の作業性を向上することができる。
【００３１】
図１から図８に示した実施例において、図２に示すように縦部材２の下端２ａを地面Ｇに埋めることにより、柵７の下からの動物の侵入を防止できるように、柵７の縦部材２の下端２ａを長くしている。又、柵７を持ち上げて柵７の下部から動物が侵入しないように、楔１９或は図１に示すように係止部材をボルト５で支柱６に固定するようにしても良い。特に図６〜図８に示した実施例において、抜け止め部材１３にて縦部材２を強固に挟持するので、柵７を持ち上げることができず、下からの動物の侵入を防止する効果は大きい。尚、本発明の実施例では合成樹脂製の材質の部品等を挙げているが、これに限定されず適宜に金属製や亜鉛メッキ製等の材料・部品等を使用することが可能である。
【００３２】
【発明の効果】
請求項１の記載に基づいて、発明の詳細な説明から把握される本発明によれば、柵の両側にリング状の係止部材を複数固定し、隣り合う柵に設けた複数のリング状の係止部材に支柱を挿通し、柵を構築する際には、互いに隣り合う柵に固定したリング状の係止部材の位置合わせを行い、そのリング状の係止部材に支柱を挿通して、支柱を地面に打ち込むようにしたので、柵の構築作業を簡単にし、短期間に柵を構築することができる。又、柵を解体する際には、支柱を地面から引き抜くだけの作業でよいから、柵の解体作業を簡単にし、短期間に柵を解体することができる。そして解体した柵及び支柱をそのまま保管し、再利用することができるため、廃棄物を無くすことができる。このように柵の構築及び解体を簡単にし、且つ、短期間に行えるので、農作業の効率化を図ると共に農家の経済的負担を軽減することができる。
【００３３】
次ぎに、請求項２の記載に基づいて、発明の詳細な説明から把握される本発明によれば、柵の両端を形成する縦部材及び支柱を挿通するための縦部材挿通孔と支柱挿通孔を設けた係止部材の縦部材挿通孔に柵の縦部材を挿通し、隣り合う柵に取り付けた係止部材の支柱挿通孔に支柱を挿通し、縦部材に対して係止部材は固定されておらず、縦部材に対して係止部材が回動及び上下移動も可能となし、柵の構築時には、支柱を挿通するための支柱挿通孔の位置合せが容易となる。又、柵を解体する際は支柱を地面から引き抜くだけの簡単な作業となったので、柵の構築及び解体作業を短期間に行うことができる。そして解体した柵及び支柱をそのまま保管し、再使用を可能とするため廃棄物を無くすことができる。このように、柵の構築及び解体を簡単となし、且つ、短期間に行えるので農作業の効率化を図り農家の経済的負担を軽減することができる。
【００３４】
次ぎに、請求項３の記載に基づいて、発明の詳細な説明から把握される本発明によれば、支柱挿通孔の両側に、柵の両端を形成する縦部材を嵌入するためのＵ字部を形成し、このＵ字部に隣り合う柵の縦部材を嵌入すると共に支柱挿入孔に支柱を挿通するようになし、柵を構築する際には、予め柵の寸法にあわせて支柱を地面に打ち込んでおき、支柱に係止部材をはめ込み、Ｕ字部に縦部材を順次はめ込むだけの簡単な作業としたので、柵の構築を短期間に行うことができる。
【００３５】
又、解体に際しては、係止部材は支柱に対して回動自在であり、一本の支柱を引き抜き、最初の柵を外すことにより、その後の柵は係止部材を回動して順次Ｕ字部から縦部材を外し、他の支柱を地面から引き抜く作業を無くすことができるため、柵の解体作業を簡単にし解体を短期間で行うことができる。又、縦部材の嵌合をＵ字部となし、支柱を地面に打ち込む間隔寸法精度に余裕を持たせるようにしたので、柵の構築作業の効率化を向上させることができる。そして解体した柵及び支柱をそのまま保管し、再使用するので、廃棄物を無くすことができる。このように柵の構築及び解体を簡単にし、且つ、短期間で行えるから、農作業の効率化を図り農家の経済的負担を軽減することができる。
【００３６】
次ぎに、請求項４の記載に基づいて、発明の詳細な説明から把握される本発明によれば、Ｕ字部の先端に抜け防止部材を装着し、柵の構築及び解体時に、簡単な操作でＵ字部に嵌合した縦部材が抜けないようになし、柵の構築及び解体を簡単となし、且つ、短期間に行えるから、農作業の効率化を図ると共に農家の経済的負担を軽減することができる。そして解体した柵及び支柱をそのまま保管し、再使用を行うので、廃棄物を無くすことができる。
【００３７】
次ぎに、請求項５の記載に基づいて、発明の詳細な説明から把握される本発明によれば、Ｕ字部の片側片を回動可能にし、柵構築時には、予め支柱を所定の間隔で地面に打ち込んでおき、柵の縦部材をＵ字部に嵌合させ、又、解体時には、支柱を抜くことなく柵を取外し可能にして、柵の構築及び解体を簡単となし、且つ、短期間に行えるので、農作業の効率化を図ると共に農家の経済的負担を軽減することができる。そして、解体した柵及び支柱をそのまま保管し、再使用を可能とするため廃棄物を無くすことができる。
【図面の簡単な説明】
【図１】本発明の一実施例である係止部材の斜視図である。
【図２】図１の係止部材を使用した柵構築の斜視図である。
【図３】他の係止部材の平面図である。
【図４】図３の係止部材を使用して柵を構築した部分拡大図である。
【図５】Ｕ字部を有する係止部材の平面図である。
【図６】Ｕ字部を有し、且つ抜け止め部材を設けた係止部材の平面図である。
【図７】図６の正面図である。
【図８】回動腕を設けた係止部材の平面図である。
【符号の説明】
１…リング状の係止部材
２…縦部材
３…横部材
４…ネジ孔
５…ボルト
６…支柱
７…柵
８…係止部材
９…縦部材挿通孔
１０…支柱挿通孔
１１…係止部材
１２…Ｕ字部
１３…抜け防止部材
１４…ボス部
１５…腕部
１６…凸部
１７…回動腕部
１８…ピン
１９…楔
２０…係止部材
２１…係止部材
【図１】
2004166559.tif 000003
【図２】
2004166559.tif 000004
【図３】
2004166559.tif 000005
【図４】
2004166559.tif 000006
【図５】
2004166559.tif 000007
【図６】
2004166559.tif 000008
【図７】
2004166559.tif 000009
【図８】
2004166559.tif 000010